(57)【要約】【課題】  開封が容易で取り扱いやすい薄片状物包装体を提供すること。【解決手段】  この発明の薄片状物包装体は、上フィルム１と下フィルム２の間の収容部３に薄片状物４を収容した薄片状物包装体であって、上フィルム１と下フィルム２はイージーオープン性及びヒートシール性を有するものとし、前記収容部３の周縁５において上フィルム１と下フィルム２をヒートシールしたものとしている。さらに、収容部３の周縁５の外側に、剥離用つまみ部６を設けたものとすることができる。また、薄片状物４に対し、上フィルム１が下フィルム２より吸着しにくくなっているものとすることができる。【選択図】  図１
2005112441.tif 000002
【特許請求の範囲】
【請求項１】
上フィルム（１）と下フィルム（２）の間の収容部（３）に薄片状物（４）を収容した薄片状物包装体であって、上フィルム（１）と下フィルム（２）はイージーオープン性及びヒートシール性を有するものとし、前記収容部（３）の周縁（５）において上フィルム（１）と下フィルム（２）をヒートシールしていることを特徴とする薄片状物包装体。
【請求項２】
収容部（３）の周縁（５）の外側に、剥離用つまみ部（６）を設けている請求項１記載の薄片状物包装体。
【請求項３】
薄片状物（４）に対し、上フィルム（１）が下フィルム（２）より吸着しにくくなっている請求項１又は２記載の薄片状物包装体。
【発明の詳細な説明】
【技術分野】
【０００１】
この発明は、フィルム状にした食品、薬品、化粧品等の薄片状物を包装した薄片状物包装体に関するものである。
【背景技術】
【０００２】
従来、カラギーナン等の多糖類に調味料や香料その他適宜の添加剤を混合し、フィルム状に加工した薄片状食品がある。また、食品以外にも、薬品や化粧品等を同様の薄片状にしたものがある。
【０００３】
これらの薄片状物は、多数枚重ねて容器に収容するのが一般的であるが、薄片状物にビタミンＣ、クエン酸、糖分等が含まれていると、べたついて１枚ずつ取り出すことが困難になる。そのため、薄片状物を１枚ずつ個包装したものが求められており、特許文献１には、２枚の上下のシートをシールして形成された収容室に薄片状物が収容された薄片状物包装体が記載されている。
【０００４】
しかし、特許文献１に記載の薄片状物包装体は、上下のシートを破断することにより開封して薄片状物を取り出せるようにしているため、無造作に開封しようとすると、薄片状物を破損したり、薄片状物に引っかかってうまく開封できなかったりすることがあり、取り扱いやすいものではなかった。
【０００５】
また、開封時の取り扱いをより容易にした薄片状物包装体として、図４に示したような、引き裂き方向性を有する上フィルム１と下フィルム２の間の収容部３に薄片状物４を収容し、収容部３の周縁５の適宜箇所に突出部７を形成し、周縁５における上フィルム１と下フィルム２をシールし、かつ、前記突出部７に切れ込み８を設けたものが考えられる。
【０００６】
この薄片状物包装体は、突出部７の切れ込み８から引き裂くと、図５に示したように、上フィルム１と下フィルム２が２つに分かれ、薄片状物４の一部が露出するようになっており、特許文献１に記載のものに比べてより開封が容易であるが、やはり開封時には薄片状物を破損等しないように注意する必要があるため、さらに取り扱いやすくしたものが望まれる。
【特許文献１】特開平１０−２１１９６０号公報
【発明の開示】
【発明が解決しようとする課題】
【０００７】
そこで、この発明は、開封が容易で取り扱いやすい薄片状物包装体を提供することを課題とする。
【課題を解決するための手段】
【０００８】
この発明の薄片状物包装体は、上フィルム１と下フィルム２の間の収容部３に薄片状物４を収容した薄片状物包装体であって、上フィルム１と下フィルム２はイージーオープン性及びヒートシール性を有するものとし、前記収容部３の周縁５において上フィルム１と下フィルム２をヒートシールしたものとしている。
【０００９】
さらに、収容部３の周縁５の外側に、剥離用つまみ部６を設けたものとすることができる。
【００１０】
また、薄片状物４に対し、上フィルム１が下フィルム２より吸着しにくくなっているものとすることができる。
【発明の効果】
【００１１】
この発明の薄片状物包装体は、上述のような構成を有しており、ヒートシールされた周縁５における上フィルム１と下フィルム２が、イージーオープン性を有するため、薄片状物４を破損等することなく、容易に開封して薄片状物４を取り出すことができるので取り扱いやすい。
【００１２】
さらに、収容部３の周縁５の外側に剥離用つまみ部６を設ければ、いっそう開封しやすくなる。
【００１３】
また、薄片状物４に対し、上フィルム１が下フィルム２より吸着しにくくなっているものとすれば、開封時に薄片状物４が上フィルム１にくっつくことなく剥がれ、さらに開封しやすく取り扱いやすいものとなる。
【発明を実施するための最良の形態】
【００１４】
以下、この発明の好適な実施形態を、図面を参照して説明する。
【００１５】
図１は、この発明の実施形態の薄片状物包装体の斜視図、図２は、その開封状態の斜視図である。この発明の薄片状物包装体は、上フィルム１と下フィルム２の間の収容部３に薄片状物４を収容した薄片状物包装体であって、上フィルム１と下フィルム２はイージーオープン性及びヒートシール性を有するものとし、前記収容部３の周縁５において上フィルム１と下フィルム２をヒートシールしたものとしている。
【００１６】
上フィルム１と下フィルム２は、いずれも空気や湿気に対するバリア性が高い合成樹脂製のフィルムで、同一材料でも異種材料でもよい。例えば、厚さ１２ミクロン程度のＰＥＴのフィルムにシリカ又はアルミナ等の透明蒸着を行い、シーラントフィルムを貼り、縦横各３ｃｍ〜５ｃｍ程度の長方形に切断したものを、上フィルム１や下フィルム２とすることができる。
【００１７】
上フィルム１と下フィルム２は、間に１枚の薄片状物４を挟んで互いの４辺ないしその付近をヒートシールしており、このヒートシールされた部分が収容部３の周縁５となっている。収容部３は、周縁５の内側の領域であり、周縁５における上フィルム１と下フィルム２が剥離されるまで密閉状態が保たれるようになっている。
【００１８】
薄片状物４は、収容部３より小さなもので、カラギーナン等の多糖類に調味料や香料、ビタミン剤、殺菌剤、口中清涼剤、その他適宜の添加剤を混合し、いわゆる可食フィルムとしてフィルム状に加工した食品ないし薬品や、水に溶かして使用することができる化粧品とすることができる。
【００１９】
この薄片状物包装体は、上フィルム１と下フィルム２がイージーオープン性を有するため、ヒートシールされた周縁５における上フィルム１と下フィルム２を剥離することにより容易に開封でき、しかも開封したときに薄片状物４の上側の面４ａ全体を露出させることができる。従って、使用者は、収容されている薄片状物４を破損等しないように気を使うことなく、簡単に開封して薄片状物４を取り出すことができるため、急いでいるときや暗い場所でも非常に取り扱いやすくなっている。
【００２０】
また、この薄片状物包装体の一辺の縁部には、収容部３の周縁５の外側に、剥離用つまみ部６を設けている。この剥離用つまみ部６においては、上フィルム１と下フィルム２がシールされておらず、使用者は、その上フィルム１をつまんで反対側に引っ張ることにより、すばやく簡単にヒートシールされた周縁５における上フィルム１と下フィルム２を剥離させ、開封することができる。
【００２１】
なお、前記剥離用つまみ部６を設けた側において、図３に示したように、上フィルム１と下フィルム２がヒートシールされた周縁５の一辺の中央部５ａが外側に折れ曲がった形状とすれば、開封時にヒートシールされた周縁５の上フィルム１と下フィルム２が徐々に剥離していくようになるので、より小さな力で開封することが可能である。
【００２２】
薄片状物４は、開封の際、ヒートシールされた周縁５における上フィルム１とフィルム２を剥離したときに、上フィルム１に吸着することなく完全に剥がれ、下フィルム２の上に載った状態が保たれるようにすることが望ましい。そのため、薄片状物４の上側の面４ａに凹凸を形成し、上側の面４ａに上フィルム１との間に隙間ができるようにする等して、上フィルム１と薄片状物４の上側の面４ａが、下フィルム２と薄片状物４の下側の面より吸着しにくくなるように加工するとよい。あるいは、上フィルム１の薄片状物４と接する面を剥離コーティングしてもよい。
【００２３】
このように、薄片状物４に対し、上フィルム１が下フィルム２より吸着しにくくなっているものとすれば、開封時に薄片状物４は上フィルム１にくっつくことなく剥がれ、下フィルム２上に残るので、開封時に誤って薄片状物４を落とすことがなくなる。なお、薄片状物４は下フィルム２に多少吸着することとしてもよい。
【産業上の利用可能性】
【００２４】
フィルム状にした食品、薬品、化粧品等の薄片状物を包装したものとして利用することが可能である。
【図面の簡単な説明】
【００２５】
【図１】この発明の実施形態の薄片状物包装体の斜視図である。
【図２】この発明の実施形態の薄片状物包装体を開封した状態の斜視図である。
【図３】この発明の他の実施形態の薄片状物包装体の斜視図である。
【図４】従来の薄片状物包装体を改良し、より開封しやすくしたものの正面図である。
【図５】図４の薄片状物包装体を開封した状態の正面図である。
【符号の説明】
【００２６】
１  上フィルム
２  下フィルム
３  収容部
４  薄片状物
５  周縁
６  剥離用つまみ部
【図１】
2005112441.tif 000003
【図２】
2005112441.tif 000004
【図３】
2005112441.tif 000005
【図４】
2005112441.tif 000006
【図５】
2005112441.tif 000007